(57)【要約】【課題】キャラクターなどを立体的に造形した部分を有する立体塗り絵において、幼児や子供などを含む全ての使用者にとって色づけが容易に行え、塗り分けなども正確に行え、疲れにくくなるようにする。【解決手段】裏面を扁平面として平板状に形成された盤体２と、この盤体２の表面外周部に扁平な余白部５を確保させた状態で表面上に突出して設けられた立体造形部３とを有し、立体造形部３が盤体２の表面上で唯一の突出物とされたものとした。【選択図】図１
2011022264.tif 000002
【特許請求の範囲】
【請求項１】
裏面を扁平面として平板状に形成された盤体（２）と、この盤体（２）の表面外周部に扁平な余白部（５）を確保させた状態で表面上に突出して設けられた立体造形部（３）とを有し、立体造形部（３）が盤体（２）の表面上で唯一の突出物とされていることを特徴とする立体塗り絵。
【請求項２】
前記盤体（２）の表面に対して立体造形部（３）が片側に偏った配置で設けられており、盤体（２）表面に立体造形部（３）の無い自由スペース（７）が形成されていることを特徴とする請求項１記載の立体塗り絵。
【請求項３】
前記盤体（２）及び立体造形部（３）は、ポリオレフィン樹脂を含む合成紙を素材にして射出成形で一体成形されていると共に、これら盤体（２）及び立体造形部（３）の表面はシボ加工成形型により粗面に形成されていることを特徴とする請求項１記載の立体塗り絵。
【発明の詳細な説明】
【技術分野】
【０００１】
本発明は、立体塗り絵に関するものである。
【背景技術】
【０００２】
表面に立体部を設けた立体塗り絵は公知であり、この種の立体塗り絵としては、盤体の外周部全周から下方へ突出する側壁が設けられたもの（特許文献１）や、盤体の外周部全周で表面側に突出する額縁が設けられたもの（特許文献２）などが提案されている。
これらの立体塗り絵では、塗料の乗りを考慮して合成紙などを素材にして形成することもあったため、湿気や塗料の水分で盤体が反ったり、或いは盤体に亀裂や欠損が生じたりするのを防止するための補強策として、側壁や額縁が設けられていたものと推測される。
【先行技術文献】
【特許文献】
【０００３】
【特許文献１】実開昭５５−４１８２５号公報
【特許文献２】実開昭５１−１０１８５１号公報
【発明の概要】
【発明が解決しようとする課題】
【０００４】
従来の立体塗り絵では前記したように側壁や額縁が設けられていたが、側壁を有したものではこの側壁が台座のような存在となるため、盤体表面が机上面より高い位置に浮き上がる結果となる。また、額縁を有したものでは、盤体自体は机上面に比べてそれほど高い位置とならなくても、額縁自体が机上から突出したものとなっている。
そのため、いずれの立体塗り絵も、筆記具や筆、クレヨンなどを持って盤体に向かわせる方の手を、机上面の上方へ浮かさなければ色づけ作業ができないものとなり、非常に作業し難いものとなっていた。そのため、殊に細部の塗り分けなどは困難であり、また手を浮かしたままの作業で手や手首、腕が疲れ、肩が凝るといった不具合があった。
【０００５】
またこの種の立体塗り絵は、幼児や児童などを対象とすることも多い商品であるところ、幼児や児童などでは手が小さいため、盤体が動かないように押さえる方の手の手首を盤体表面まで無理に曲げることになってしまう。そのため、非常にやり難く且つ疲れるものとなっていた。なお、リハビリ中の者、高齢者、身体障害者などにとっても同様であり、扱いにくい結果となっていた。
本発明は、上記事情に鑑みてなされたものであって、色づけが容易に行え、塗り分けなども正確に行え、疲れにくくなるようにした立体塗り絵を提供することを目的とする。
【課題を解決するための手段】
【０００６】
前記目的を達成するために、本発明は次の手段を講じた。
即ち、本発明に係る立体塗り絵は、裏面を扁平面として平板状に形成された盤体と、この盤体の表面外周部に扁平な余白部を確保させた状態で表面上に突出して設けられた立体造形部とを有し、立体造形部が盤体の表面上で唯一の突出物とされている。
なお、盤体の「扁平な余白部」は、盤体の外周部が板状に形成されていることを特定したものであって、余白の大きさを寸法的に規定するものではない。要は、使用者が立体造形部に色づけしたり盤体が動かないように押さえたりするに際して、障害（邪魔）となるような突起物が無いことを明確化したものである。
【０００７】
このように、盤体が平板状に形成されており、しかもその外周部には裏面側はもとより表面側でも突出するものが何もない状態となっていることから、筆記具や筆、クレヨンなどを持って盤体に向かわせる方の手（盤体表面や立体造形部に対して色づけする方の手）を机上面で浮き上がらせる必要がない。また、盤体が動かないように押さえる方の手についても、机上面で浮き上がらせる必要はなく、手首を無理に曲げることも必要なくなる。
従って、全ての使用者にとって色づけが容易に行え、塗り分けなども正確に行え、疲れにくくなる。
【０００８】
盤体の表面に対して立体造形部が片側に偏った配置で設けられており、盤体表面に立体造形部の無い自由スペースが形成されたものとするのが好適である。
このようにすると、盤体表面の自由スペースに対して自由な発想で着色や文字の書き入れができるようになるので、塗り絵という作業として、お仕着せ的なものにはならず、描き手の個性を十分に発揮させてやることができる。
盤体及び立体造形部は、ポリオレフィン樹脂を含む合成紙を素材にして射出成形で一体成形されていると共に、これら盤体及び立体造形部の表面はシボ加工成形型により粗面に形成されたものとするのが好適である。
【０００９】
このようにすると、反りや亀裂、欠損などを生じない状態に保持できる強度を持たせつつ、色づけ（塗料の乗り）に最適な表面性状にすることができるものであり、好適である。
【発明の効果】
【００１０】
本発明に係る立体塗り絵では、色づけが容易に行え、塗り分けなども正確に行え、疲れにくくなる。
【図面の簡単な説明】
【００１１】
【図１】本発明に係る立体塗り絵の一実施形態を示した正面図である。
【図２】図１のＡ−Ａ線断面図である。
【図３】本発明に係る立体塗り絵の一実施形態についてその使用状態を説明した斜視図である。
【発明を実施するための形態】
【００１２】
以下、本発明の実施の形態を、図面に基づき説明する。
図１乃至図３は、本発明に係る立体塗り絵１の一実施形態を示している。この立体塗り絵１は、平板状に形成された盤体２と、この盤体２の表面上に突出して設けられた立体造形部３とを有している。これら盤体２の表面及び立体造形部３の表面は、いずれも塗料をはじかない程度の吸水性を有し、色づけに適した淡泊な色（白や白に類似する系統色）であって且つ粗面（光沢面や鏡面状の平滑面ではない面性状）に形成されており、使用者によって任意の色づけを行えるようになっている。
【００１３】
なお、色づけに用いる着色具には、例えば水性又は油性の絵の具や着色ペン、クレヨン、色鉛筆などを使用すればよい。前記した盤体２及び立体造形部３の吸水性、素地の色合い、表面性状などに関してはこれら着色具の種別ごとに適したものを複数種、製品化しておくか、又は共通使用可能なものとして製作しておけばよいものである。
盤体２において、その表面では立体造形部３が唯一の突出物とされている。すなわち、盤体２の表面では立体造形部３の他に突出するものは何も無い状態とされている。また盤体２の裏面は扁平面として形成されており、突出するものは全く何も無い状態とされている。
【００１４】
本実施形態において、盤体２は平面視して長方形を呈しており、その長辺が１８２ｍｍ、短辺が１２８ｍｍ、厚さが２ｍｍに形成されているものとした。なお、盤体２の外周部には、立体造形部３の絵柄として上側となる辺部（長辺）に、表裏面を貫通する状態で２個の孔４が設けられており、これらの孔４を利用して吊り下げ紐などを結び止められるようにしてある。
立体造形部３には、例えばキャラクターを造形したもの、動植物や人物、風景や建物又は乗り物を造形したもの、文字や幾何学模様を造形したものなど、種々様々なものを採用することができる。
【００１５】
この立体造形部３には、その突出度合いに差を付けたり、輪郭部に沿って丸み又はエッジを付与させたり、輪郭部にグラデーションをつけたり（突出する程度をなだらかにさせて盤体２の表面との境界をぼかすようにする）などの様々な工夫やテクニックを適宜組み合わせ、採り入れることができる。これにより、全体として陰影を生じさせたり、立体感（アピール度）に強弱をつけたり、絵的な広がりを持たせたりしてある。
なお、立体造形部３の形成数やその大きさなどは何ら限定されるものではない。本実施形態では二つの立体造形部３を並べて設けてあり、またこれら立体造形部３のうち最も突出している部分では、盤体２の表面からの高さを１０ｍｍとした。
【００１６】
但し、この立体造形部３の配置に関しては、盤体２の表面外周部に扁平な余白部５を確保させることが条件とされている。
この扁平な余白部５において、余白の大きさや平面的な形状などは何ら限定されるものではない。要は、図３に示すように、使用者が立体造形部３に色づけしたり盤体２が動かないように押さえたりするに際して、障害（邪魔）となるような突起物が無い状態（立体造形部３が盤体２の外縁ぎりぎりに存在していないこと）が必要であるものとして、この状態を指して「盤体２の表面外周部に扁平な余白部５が形成されている」と言うものとする。
【００１７】
なお、盤体２を平面視した状態下で立体造形部３の絵柄の上下左右が明確に決まっている場合でも、色づけをするに際し、盤体２の向きをいろいろな方向へ変えること自体は使用者の自由意志に委ねられることになる。その意味で、扁平な余白部５は盤体２の左右両側の外周部を必須としつつも、それだけでなく、外周部全周に設けておくのが好適とする。
このように、盤体２が平板状に形成されており、しかもその外周部には裏面側はもとより表面側でも突出するものが何もない状態となっていることから、筆記具や筆、クレヨンなどを持って盤体２に向かわせる方の手（盤体２表面や立体造形部３に対して色づけする方の手）を机上面で浮き上がらせる必要がない。また、盤体２が動かないように押さえる方の手についても、机上面で浮き上がらせる必要はなく、手首を無理に曲げることも必要なくなる。
【００１８】
従って、全ての使用者にとって色づけが容易に行え、塗り分けなども正確に行え、疲れにくくなる。
ところで、立体造形部３は、盤体２の表面に対して中央配置としてもよいが、片側に偏った配置で設けるのが好適となる。片側に偏らせることで、盤体２表面には前記した扁平な余白部５とは別に、立体造形部３の無い自由スペース７が形成されることになる。扁平な余白部５と自由スペース７とは互いに面一状に連続するものであり、物理的、視覚的に明確な区別をできるものではない。
【００１９】
なお、盤体２の表面に対して片側へ偏った配置とは、左方又は右方の辺部へ近接させるか、上方又は下方の辺部へ近接させるか、或いは特定の隅角部に近接させた配置とするかを言うものであって、要は、近接させたのとは反対側に自由スペース７が形成されるようにすればよいものである。
このような自由スペース７は、使用者に自由な発想を促して着色や文字の書き入れができるようになるので、塗り絵という作業として、お仕着せ的なものにはならず、描き手の個性を十分に発揮させてやることができる。
【００２０】
この立体塗り絵１は、全体（盤体２及び立体造形部３）がポリオレフィン樹脂を含む合成紙を素材にして、射出成形により、一体成形されている。立体造形部３においては突出量の大きい部分が中抜き構造としてあり、肉厚が分厚くなりすぎないようになっている。
合成紙のベースにする紙には漂白紙を用いるのが好適であるが、必要に応じて古紙などを採用することもできる。また、ポリオレフィン樹脂としては、例えばＰＰ（ポリプロピレン）を選択するのが好適である。
射出成形に用いる成形型は、少なくとも盤体２及び立体造形部３の表面を成形する方の成形面にシボ加工が施されたものとしてある。これにより、盤体２及び立体造形部３の表面の表面性状は目の細かな粗面として形成されることになる。
【００２１】
なお、立体造形部３について精密さや繊細さ複雑さなどを強調する場合であれば、一般的なＰＰ樹脂の射出成形を行う場合に比べて４〜６倍程度の高い射出圧（具体的には１３０ＭＰａ程度）に設定するのが好適である。
このように、射出成形を採用して成形した場合、殊に盤体２において反りや亀裂、欠損などが生じ難い状態となるよう、高強度を持たせることができるものである。またシボ加工を施した成形型を使用することで、盤体２の表面や立体造形部３の表面に色づけするうえで塗料の乗りがよく、着色具の滑りも、スムーズすぎず適度な引っかかりを生じさせる（塗料の付着を促す）状態にできるものとなる。
【００２２】
なお、合成紙を成形材料とする場合、真空成形を採用して成形したとしても精密さや繊細さを追求するには自ずと限度があるという事情がある。一方、合成紙ではなく粘土や紙粘土、石膏などで製作した場合であれば、塗り絵全体として重くなり、また割れるおそれがあるといった不具合を伴うことは言うまでもない。これらの点で、本発明に係る立体塗り絵１は優れているということが言える。
以上詳説したところから明らかなように、本発明に係る立体塗り絵１では、全ての使用者にとって色づけが容易に行え、塗り分けなども正確に行え、疲れにくくなるという利点が得られるものである。
（その他）
本発明は、上記実施形態に限定されるものではなく、実施の形態に応じて適宜変更可能である。
【００２３】
例えば、盤体２の外形状は特に限定されるものではなく、円形や楕円形、長円形、雲形などとしたり、正方形や三角形又はその他の多角形としたりすることができる。
また盤体２の厚さも特に限定されるものではなく、立体造形部３に対する色づけや机上面への押さえ付けが容易にできる範囲であれば２ｍｍを超えて厚くすることもできるし、反りや亀裂、欠損などが生じないような強度を保てる範囲であれば２ｍｍよりも薄くすることができる。
なお、盤体２の表面は完全な平面であることは限定されず、わずかな膨出を伴った丘状や波状などの隆起面としたり、反対にわずかな窪みを伴った海状や川状の凹み面としたりすることは可能である。
【００２４】
合成紙に含ませる樹脂として、その種類や混合割合などは適宜変更可能である。
使用者として、幼児や児童、リハビリ中の者、高齢者、身体障害者などが限定されるものではない。
【符号の説明】
【００２５】
１ 立体塗り絵
２ 盤体
３ 立体造形部
４ 孔
５ 扁平な余白部
７ 自由スペース
【図１】
2011022264.tif 000003
【図２】
2011022264.tif 000004
【図３】
2011022264.tif 000005